(57)【特許請求の範囲】
【請求項１】
磁気ヘッドにパッドローラを対設させて大きさの異なる複数種の磁気記録媒体を片側の基準壁に寄せて磁気処理を行う磁気処理装置であって、
前記磁気ヘッドを備えた磁気ヘッドフレームの左右を入替える入替え機構を備え、
前記入替え機構として、
前記磁気ヘッドフレームを、前記磁気ヘッドの反ヘッド面側に該ヘッド面に対して垂直な方向に軸支する軸支フレームと、
磁気ヘッドフレームを軸支フレームに結合したまま、磁気処理位置から前記基準壁より遠ざかる方向に移動させて、該磁気ヘッドフレームの上記軸支点を中心とする回転により該磁気ヘッドフレームの左右入替えを許容する移動許容手段とを備えて構成した
磁気処理装置。
【請求項２】
前記磁気ヘッドを複数個で構成した
請求項１に記載の磁気処理装置。
【請求項３】
請求項１又は２に記載のいずれかの磁気処理装置を、磁気記録媒体の搬送路途中に備え、大型券と小型券を処理する
自動改札機。
【発明の詳細な説明】
【０００１】
【発明が属する技術分野】
この発明は、例えば、磁気カードのように磁性体を備える券状体の磁気記録媒体に対して磁気の読取りや書込みなどの磁気処理を行う磁気処理装置に関し、さらに詳しくは、改札処理において、定期券のような大型券と１回使用券（切符）のような小型券のそれぞれを磁気処理するような磁気処理装置および自動改札機に関する。
【０００２】
【従来の技術】
上述の改札処理において、鉄道業務で使用する自動改札機では１つの券投入口に対して定期券のような大型券と切符のような小型券とを投入し、小型券を基準壁側に寄せて整列し、１つの磁気ヘッドで両種の券を磁気処理するように磁気処理装置を構成している。
【０００３】
図１、図２は、このような磁気処理に使用する磁気処理装置を示し、磁気ヘッド１は左右に４トラックずつ分けた８トラックの処理トラックを有し、これに対して左右に接触面を備えたパッドローラ２を所定のギャップＧで対設している。上述の磁気ヘッド１はビス３より基準壁４に片持ち状に取付け、また、パッドローラ２もビス５で基準壁４に片持ち状に取付けている。
【０００４】
このように構成された磁気処理装置において、大型券および小型券の両券は基準壁４に接触させて整列し、この状態で大型券の場合は磁気ヘッド１の全８トラックが使用されて磁気処理され、小型券の場合は基準壁４側の４トラックで磁気処理される。
【０００５】
このような磁気処理では、磁気ヘッド１の大型券と小型券が通過する基準壁４側の４トラックの片側ヘッド面は、他方の大型券のみが通過する基準壁４より離れた４トラックの片側ヘッド面より摩耗量が多くなるので、磁気ヘッド１のヘッド面は片減り状態となり、磁気ヘッド１の交換は大型券と小型券が通過する基準壁４側の４トラック部分のヘッド面の摩耗量が交換時期に至ることで行うが、この交換時期では、他方の大型券のみが通過する４トラックのヘッド面は摩耗量が少なく、充分使用できる状態であるので、この状態で磁気ヘッド１を交換することは大変不経済となる問題点を有する。
【０００６】
【発明が解決しようとする課題】
この発明は、上述のヘッド面の片減り状態での磁気ヘッドの交換をなくし、左右が平均して摩耗した磁気ヘッドの有効な使用ができて、その使用期間の寿命を長くすることができると共に、メンテナンス費用の低減ができ、さらに、これらの目的を達成するための処理が簡単化される磁気処理装置および自動改札機の提供を目的とする。
【０００７】
【課題を解決するための手段】
この発明の請求項１記載の発明は、磁気ヘッドにパッドローラを対設させて大きさの異なる複数種の磁気記録媒体を片側の基準壁に寄せて磁気処理を行う磁気処理装置であって、前記磁気ヘッドを備えた磁気ヘッドフレームの左右を入替える入替え機構を備え、前記入替え機構として、前記磁気ヘッドフレームを、前記磁気ヘッドの反ヘッド面側に該ヘッド面に対して垂直な方向に軸支する軸支フレームと、磁気ヘッドフレームを軸支フレームに結合したまま、磁気処理位置から前記基準壁より遠ざかる方向に移動させて、該磁気ヘッドフレームの上記軸支点を中心とする回転により該磁気ヘッドフレームの左右入替えを許容する移動許容手段とを備えて構成した磁気処理装置であることを特徴とする。
【０００８】
この発明の請求項２記載の発明は、上記請求項１に記載の発明の構成に併せて、前記磁気ヘッドを複数個で構成した磁気処理装置であることを特徴とする。
【０００９】
この発明の請求項３記載の発明は、上記請求項１に記載の磁気処理装置を、磁気記録媒体の搬送路途中に備え、大型券と小型券を処理する自動改札機であることを特徴とする。
【００１０】
【発明の作用・効果】
この発明によれば、磁気ヘッドの左右を入替え機構で入替えることができるので、例えば、メンテナンスで片減りが予測できる時期ごと、あるいは、片減りの初期ごとに、磁気ヘッドの左右の入替えを実行することにより、磁気ヘッドのヘッド面の摩耗を均一に使用することができ、磁気ヘッドの長寿命化、メンテナンス費用の低減を得ることができる。
【００１１】
さらに、前述の入替え機構を、磁気ヘッドフレームを引出し、回転させてその左右を入替える機構に構成することにより、入替え操作に熟練度を必要とすることなく簡単に操作ができる。
【００１２】
さらに、磁気ヘッドを複数個で構成した時、上述のような左右の入替えの他に、片減りした側の磁気ヘッドのみを新しい磁気ヘッドに取り替えることもでき、便利に利用できる。
【００１３】
【実施例】
この発明の一実施例を以下図面に基づいて詳述する。
図面は本発明の磁気処理装置を備えた自動改札機を示し、図３、図４において、この自動改札機１１は券投入口１２から投入された大型券の定期券や小型券の切符などの磁気媒体である乗車券を、幅寄せローラ１３を有する券整列部１４で固定フレームの基準壁側に片寄せし、次段の磁気処理部１５に乗車券の表裏に対応して配設され磁気ヘッドで構成した読取り装置１６ａ，１６ｂ、書込み装置１７ａ，１７ｂ、読取りチェック装置１８ａ，１８ｂにて磁気記録情報の読取り、書込みおよび書込み後の読取りチェックの磁気処理が実行された後に、必要に応じて上述の乗車券を搬送ライン１９により搬出方向へ搬送して、券放出口２０から放出すべく構成している。
【００１４】
上述の磁気処理部１５に配設された読取り装置１６ａ，１６ｂ、書込み装置１７ａ，１７ｂ、読取りチェック装置１８ａ，１８ｂの各装置は、作用としては前述のようにそれぞれ読取り、書込み、読取りチェックの相互に異なる作用を行うが、しかし、その構成は磁気ヘッドを用いる同一の構成であって、この発明の磁気処理装置を構成しているので、その例として１つの読取り装置１６ａの構成を以下説明する。
図５、図６および図７において、読取り装置１６ａは４トラックの処理トラックを備えた２つの磁気ヘッドＬ，Ｒの並設で構成しており、これらのヘッド面に対向するパッドローラ２１の幅は両磁気ヘッドＬ，Ｒの幅に対応し、その接触部分はそれぞれの磁気ヘッドＬ，Ｒに対応して２箇所に区切って形成して対接している。
【００１５】
上述のパッドローラ２１は取付けフレーム２２に支軸（図示省略）を介して片持ち状でかつ回転可能に軸支し、また、取付けフレーム２２は主フレーム２３の下端部に取付けネジ２４により螺着している。
【００１６】
前述の磁気ヘッドＬ，Ｒの上部には、支持フレーム２５が位置し、該支持フレーム２５の上面側（反ヘッド面側に対応）の中央位置には、軸部２６を形成してその中心部に固定用ネジ２７が螺着できるように設けている。
【００１７】
さらに、上述の支持フレーム２５の上部には、前述の主フレーム２３に一体に連結したレールフレーム２８が対向して位置しており、該レールフレーム２８の中心ライン上には段付きの長溝２９を形成し、この長溝２９には前述の固定用ネジ２７を挿入し、かつ該ネジ２７を螺着することにより、支持フレーム２５をレールフレーム２８の所定の位置で固定することができ、また、固定用ネジ２７を弛めることにより、主フレーム２３側から支持フレーム２５を引出して、該支持フレーム２５を１８０度回転して向きを入替えて元の所定位置に戻すことができる。さらに、この１８０度の入替え操作を可能にするために、前述の長溝２９はその入替え操作に必要な長さに形成している。
【００１８】
なお、上述の長溝２９は直線状に形成しているが、その外端側で水平な方向にＬ字状に屈曲して形成することもできる。
【００１９】
前述の支持フレーム２５の前後の側面であって、さらに左右に位置をずらせて２枚の調整用取付け板３０，３０をビス３１…の螺着で固定するが、この固定を弛めて取付け板３０，３０の上下位置を調節することができる。
【００２０】
上述の各調整用取付け板３０，３０の下端側にはピン３２，３２が取付けられており、該ピン３２，３２には、各磁気ヘッドＬ，Ｒ前後面の一方の対応面にビス３３…で取付けたホルダ３４，３４を回動可能に枢着している。そのため、磁気ヘッドＬ，Ｒはパッドローラ２１に対して片当たりなく、均一に接触する。
【００２１】
このように構成した磁気処理装置（読取り装置）１６ａは、自動改札機１１の磁気処理部１５の所定の位置の固定フレーム３５の外側面に主フレーム２３の内側を当接させてボルトアップ（図示省略）することで取付け、また、該部の固定フレーム３５の内側面が基準壁面３５ａとして乗車券を整列する。
【００２２】
上述の磁気処理装置１６ａの磁気処理において、大型券である定期券に対しては、２つの磁気ヘッドＬ，Ｒが読取りの磁気処理を行い、小型券である切符に対しては、基準壁面３５ａ側の磁気ヘッドＲのみが読取りの磁気処理を行う。
【００２３】
そのために、内側の磁気ヘッドＲは外側の磁気ヘッドＬより使用頻度が高いのでヘッド面の摩耗が進行し、片減り状態となるので、この摩耗を均一にするために左右の磁気ヘッドＬ，Ｒを適当な時期に入替えする。この入替え時期は、例えば、メンテナンスで片減りが予測できる時期ごと、あるいは、片減りの初期ごとに、その他必要な時期に行う。
【００２４】
上述の左右の磁気ヘッドＬ，Ｒの入替えは、まず、これら磁気ヘッドＬ，Ｒに接続されているケーブル（図示省略）を取外し、レールフレーム２８の固定用ビス２７を弛めて、支持フレーム２５の固定を解除し、次いで、図５、図７の仮想線で示すように、支持フレーム２５をレールフレーム２８の長溝２９に沿って外側に引出す。次いで、引出したその位置で磁気ヘッドＬ，Ｒの位置を軸部２６を中心にして１８０度回転して、左右の磁気ヘッドＬ，Ｒを入替え、その後、支持フレーム２５を元の位置に摺動して固定用ビス２７を固定する。なお、各磁気ヘッドＬ，ＲのギャップＧを調整するときは、調整用取付け板３０，３０の取付け位置を調整することで行う。
【００２５】
上述のように、必要な時期に左右の磁気ヘッドＬ，Ｒを入替えることにより、左右の磁気ヘッドＬ，Ｒのヘッド面の摩耗を均一に使用することができ、磁気ヘッドＬ，Ｒの長寿命化、メンテナンス費用の低減を得ることができる。
【００２６】
なお、上述の実施例において、基準壁面３５ａ側の磁気ヘッドＲ側の摩耗がひどいときはこれのみを取り替えることができる。さらに、左右の磁気ヘッドＬ，Ｒを一体にして１つの磁気ヘッドで構成しても、これを１８０度反転して左右のヘッド面を入替えることができる。
【００２７】
図８、図９、図１０は磁気処理装置の他の例を示し、上述の実施例と同じ機能を有する構成要素については同一の符号を付してその詳細な説明を省略する。
【００２８】
主フレーム２３は、上辺２３ａ、外側辺２３ｂ、底辺２３ｃを備えて正面視コの字状に形成されて、取付けビス４０，４０により固定フレーム３５に基準壁面３５ａ側から固定している。
【００２９】
磁気ヘッドＬ，Ｒを取付けた支持フレーム２５は磁気ヘッドＬ，Ｒに対応して中央位置で２分されて、分割支持フレーム２５ａ，２５ｂを形成している。
この分割支持フレーム２５ａ，２５ｂは主フレーム２３の上部と固定フレーム３５とに架設した支持軸４１を挿通することにより支持され、さらに、同様に架設された回止め軸４２を挿通することにより位置を固定した状態で支持される。なお、支持軸４１は埋め込みビス４３により固定される。
【００３０】
このように構成した磁気処理装置１６ａでの左右の磁気ヘッドＬ，Ｒの入替えは、埋め込みビスは４３を弛めて支持軸４１、回止め軸４２を抜取り、分割支持フレーム２５ａ，２５ｂの左右を入替えて、再び支持軸４１、回止め軸４２を分割支持フレーム２５ａ，２５ｂに挿通して埋め込みビス４３を固定することで行うことができる。
【００３１】
この場合においても、基準壁面３５ａ側の磁気ヘッドＲ側の摩耗がひどいときはこれのみを取り替えることができる。さらに、左右の磁気ヘッドＬ，Ｒを一体にして１つの磁気ヘッドで構成しても、これを１８０度反転して左右のヘッド面を入替えることもできるが、この場合、左右を入替えたとき回り止め軸４２が挿入できるように支持フレーム２５の対応箇所に挿通孔を形成する必要がある。
【００３２】
この発明の構成と、上述の実施例との対応において、
この発明の磁気記録録媒体は、実施例の定期、切符などの乗車券に対応し、
以下同様に、
基準壁は、基準壁面３５ａに対応し、
入替え機構は、支持フレーム２５、軸部２６、レールフレーム２８、長溝２９に対応し、
磁気ヘッドフレームは、支持フレーム２５に対応し、
軸支フレームは、レールフレーム２８に対応し、
移動許容手段は、固定用ネジ２７、長溝２９に対応するも、
この発明は、上述の実施例の構成のみに限定されるものではなく、請求項に記載した技術的思想に基づいて応用することができる。
【図面の簡単な説明】
【図１】  従来の磁気処理装置の正面図。
【図２】  その側面図。
【図３】  自動改札機の斜視図。
【図４】  その内部の概略構成図。
【図５】  磁気処理装置の第１の実施例の一部断面の正面図。
【図６】  その側面図。
【図７】  その平面図。
【図８】  磁気処理装置の第２の実施例の正面図。
【図９】  その側面図。
【図１０】  その一部断面平面図。
【符号の説明】
１１…自動改札機
１５…磁気処理部
１６ａ…読取り装置（磁気処理装置）
２１…パッドローラ
２５…支持フレーム
２６…軸部
２７…固定用ネジ
２８…レールフレーム
２９…長溝
３５ａ…基準壁面
【図１】
0003673807.tif 000002
【図２】
0003673807.tif 000003
【図３】
0003673807.tif 000004
【図４】
0003673807.tif 000005
【図５】
0003673807.tif 000006
【図６】
0003673807.tif 000007
【図７】
0003673807.tif 000008
【図８】
0003673807.tif 000009
【図９】
0003673807.tif 000010
【図１０】
0003673807.tif 000011